(57)【要約】【課題】ケーソンを構成する各ブロックを分割し、これらを現地で各ブロックに組立てる場合にも、長い作業時間を必要としないようにする。【解決手段】ダム堰体１の貯水池側コンクリート面１ａに水密金物を介して設置される側部戸当り２ａと、ダム堰体１の貯水池側の水平部１ｂに水密金物を介して設置される底部戸当り２ｂと、この底部戸当り２ｂ上に高さ方向に重合状に配置され、かつ、脚部を介して前記側部戸当りに２ａ設置されるケーソン２ｃを備えた水中仮締切り設備２である。ケーソン２ｃを構成する各ブロック２ｃａは複数に分割され、この分割された各ブロック２ｃａの前記分割部を高力ボルト２ｃｄで接合して内側ブロックとする。この内側ブロックの貯水池側に、前記接合部を覆うように外側ブロック２ｃｅを水密溶接する。【効果】接合部からの漏水を防止しつつ、現地での組立・溶接作業に要する工期を短縮でき、仮締切り内のダム施設の改良工事中に容易に点検できる。【選択図】図１
2012012820.tif 000002
【特許請求の範囲】
【請求項１】
ダム堰体の貯水池側コンクリート面に水密金物を介して設置される側部戸当りと、ダム堰体の貯水池側の水平部に水密金物を介して、或いは前記側部戸当りに設置される底部戸当りと、この底部戸当り上に高さ方向に重合状に配置され、かつ、脚部を介して前記側部戸当りに設置されるケーソンを備えた水中仮締切り設備であって、
前記ケーソンを構成する各ブロックは複数に分割され、
この分割された各ブロックの前記分割部を高力ボルトで接合して内側ブロックとし、
この内側ブロックの貯水池側に、前記接合部を覆うように外側ブロックを水密溶接したことを特徴とする水中仮締切り設備。
【発明の詳細な説明】
【技術分野】
【０００１】
本発明は、例えばダム施設の改良工事を行う際に、ダム堰体と貯水池を分離すべく、ダム堰体の貯水池側に取付ける水中仮締切り設備に関するものである。
【背景技術】
【０００２】
例えばダム施設の改良工事を行う場合、工事に先立ち、図４に示すように、ダム堰体１の貯水池側コンクリート面１ａに、水中仮締切り設備２を一時的に取付け、ダム堰体１における工事部分と貯水池３を分離している（例えば特許文献１）。
【０００３】
この水中仮締切り設備２は、水密金物を介して前記コンクリート面１ａに設置する側部戸当り２ａと、水密金物を介してダム堰体１の貯水池側の水平部１ｂに設置する底部戸当り２ｂと、この底部戸当り２ｂ上に重合状に、底部戸当り２ｂ及び側部戸当り２ａと一体的に設置するケーソン２ｃとで構成されている。
【０００４】
このうち、前記ケーソン２ｃは、ダム堰体１の貯水池側コンクリート面に、作業空間４を確保するために取付けられ、平面から見た場合に、溝形鋼を横断面したような形状のラーメン構造の箱型構造物で、高さ方向に、複数のブロック２ｃａに分割されている（図４（ａ）（ｂ）参照）。
【０００５】
上記構成の水中仮締切り設備では、必要とする作業空間と輸送限界寸法との差が比較的小さい場合は、ケーソンを構成する各ブロックを、ダム堰体の堤頂に設置する重機によって吊下げが可能な大きさ及び重量に形成できるので、各ブロックを分割せずに輸送することができる。
【０００６】
一方、必要とする作業空間と輸送限界寸法との差が大きい場合は、ケーソンを構成する各ブロックをさらに分割して輸送し、現地で組立てることが必要になる。
【０００７】
しかしながら、従来は、このブロックへの組立てを、図５に示すような継手部を溶接することにより行っていた。従って、組立・溶接・検査・塗装の作業が必要な現地では、溶接時、熱歪みが生じないように注意する必要があるので、長い作業時間が必要であった。また、比較的大規模な組立ヤードも必要であった。なお、図４、図５中の２ｃｂは溶接継手部を示す。
【先行技術文献】
【特許文献】
【０００８】
【特許文献１】特開２０００−１８３８号公報
【発明の概要】
【発明が解決しようとする課題】
【０００９】
本発明が解決しようとする問題点は、ケーソンを構成する各ブロックを分割し、これらを現地で各ブロックに溶接組立するには、長い作業時間が必要であったという点である。
【課題を解決するための手段】
【００１０】
本発明の水中仮締切り設備は、
ケーソンを構成する各ブロックを分割し、これらを現地で各ブロックに組立てる場合にも、長い作業時間を必要としないようにするために、
ダム堰体の貯水池側コンクリート面に水密金物を介して設置される側部戸当りと、ダム堰体の貯水池側の水平部に水密金物を介して、或いは前記側部戸当りに設置される底部戸当りと、この底部戸当り上に高さ方向に重合状に配置され、かつ、脚部を介して前記側部戸当りに設置されるケーソンを備えた水中仮締切り設備であって、
前記ケーソンを構成する各ブロックは複数に分割され、
この分割された各ブロックの前記分割部を高力ボルトで接合して内側ブロックとし、
この内側ブロックの貯水池側に、前記接合部を覆うように外側ブロックを水密溶接したことを最も主要な特徴としている。
【００１１】
本発明は、各ブロックの分割部を高力ボルトで接合し、この接合部の貯水池側に、前記接合部を覆うように外側ブロックを水密溶接したので、現地での組立・溶接作業が低減する。また、工場組立時の精度を現地で容易に再現できるため、現地組立時の精度が向上し、工事費用の低減及び工事期間の短縮が可能となる。
【発明の効果】
【００１２】
本発明では、複数に分割した各ブロックの前記分割部を高力ボルトで接合し、この接合部の貯水池側に、前記接合部を覆うように外側ブロックを水密溶接したので、接合部からの漏水を防止しつつ、現地での組立・溶接作業に要する工期を短縮できる。
【００１３】
また、水中仮締切り設備内の水を抜いた後に、接合部のメンテナンスを行った時の目視による点検が可能となるので、目視により、高力ボルトの不良が発見できれば、その補修を行うこともでき、高い安全性を確保できる。
【図面の簡単な説明】
【００１４】
【図１】本発明の水中仮締切り設備の概略説明図で、（ａ）は平面図、（ｂ）は（ａ）図の要部拡大図、（ｃ）は外側ブロックのスキンプレートを除いた正面図である。
【図２】本発明の水中仮締切り設備を構成する外側ブロックのスキンプレートの一例を示した図で、（ａ）は正面図、（ｂ）は側面図である。
【図３】（ａ）（ｂ）は本発明の水中仮締切り設備を構成するケーソンの他の形状を説明する図である。
【図４】従来の水中仮締切り設備の概略説明図で、（ａ）は平面図、（ｂ）は正面図、（ｃ）は側面図である。
【図５】ケーソンを構成する各ブロックの分割部分における継手部を示した図で、（ａ）は正面図、（ｂ）は平面図である。
【発明を実施するための最良の形態】
【００１５】
本発明では、複数に分割した各ブロックを現地で組立てる場合にも、長い作業時間を必要とせず、かつ工場組立時の精度を現地で容易に再現するという目的を、各ブロックの前記分割部を高力ボルトで接合し、この接合部の貯水池側に、接合部を覆うように外側ブロックを水密溶接することで実現した。
【実施例】
【００１６】
以下、本発明を実施するための最良の形態を、図１及び図２を用いて詳細に説明する。
図１は本発明の水中仮締切り設備の概略説明図、図２は本発明の水中仮締切り設備を構成する外側ブロックのスキンプレートの一例を示した図である。
【００１７】
ダム施設の改良工事を行う場合、工事に先立ち、ダム堰体１の貯水池側のコンクリート面１ａに作業空間４を確保すべく、一時的に取付ける水中仮締切り設備２のケーソン２ｃは、図４で説明したように、各ブロック２ｃａを高さ方向に重合状に配置した構成である。
【００１８】
このケーソン２ｃを構成する各ブロック２ｃａは、例えば図１（ｂ）（ｃ）に示すように、Ｈ型鋼２ｃａａを箱型に組合せた構成で、図１（ａ）に示すように、例えば中央部と両脚部の３つに分割されている。
【００１９】
これら分割された中央部と脚部は、水中仮締切り設備２の内側部分に貼り付け状に設置されたスキンプレート２ｃａｃと、分割端面に配置されたＨ型鋼２ｃａａ’により、接合部以外の部分を水密化している。
【００２０】
また、これら分割された中央部と脚部を接合したブロック２ｃａを積重ねた際の積み重ね部の水密は、ブロック２ｃａの、水中仮締切り設備２の外側部分となる側の上下方向の端部に設けた、対向する等辺山形鋼２ｃａｂ間に水膨潤ゴムを介在させることにより行う。この場合、高さ方向の中間部に位置するブロック２ｃａは、高さ方向の上下両側に等辺山形鋼２ｃａｂが設置される一方、高さ方向の上部又は下部に位置するブロック２ｃａは、高さ方向の下側又は上側の一方側のみに等辺山形鋼２ｃａｂが設置される。
【００２１】
本発明は、前記中央部と両脚部の３つに分割されたブロック２ｃａの接合を、従来の水密溶接に替え、例えば、接合部を両側から添接板２ｃｃで挟み、これら添接板２ｃｃを介して接合部を高力ボルト２ｃｄで締付けて一体化することにより行っている。
【００２２】
但し、高力ボルト２ｃｄで接合するだけでは、当該接合部（以下、内側ブロックという。）の水密化が図れないので、本発明では、この内側ブロックの貯水池側に、内側ブロックを覆うように外側ブロック２ｃｅを水密溶接する。
【００２３】
この外側ブロック２ｃｅとして、本発明例では、図１に示すように、内側ブロックの外側に水密溶接する、両端面を金属板２ｃｅａで覆った溝型鋼２ｃｅｂと、これら両溝型鋼２ｃｅｂの貯水池側に水密溶接する、図２に示すような、スキンプレート２ｃｅｃからなるものを示している。なお、図２に示す例では、スキンプレート２ｃｅｃは、２つの等辺山形鋼２ｃｅｃａを金属板２ｃｅｃｂで連結したものを示している。
【００２４】
上記構成の本発明の水中仮締切り設備２の組立方法を以下に説明する。
【００２５】
(1) 内側ブロックの組立て。
分割した中央部と脚部を突合せた状態で、Ｈ型鋼２ｃａａのフランジ部及びウエブ部を両側から添接板２ｃｃで挟んで、複数個の高力ボルト２ｃｄで結合する。但し、中央部と脚部の貯水池側のＨ型鋼２ｃａａのフランジの貯水池側には、工場で予め金属板２ｃｅａ及び溝型鋼２ｃｅｂが溶接されており、金属板２ｃｅａ及び溝型鋼２ｃｅｂの現地での組立は行わない。
【００２６】
(2) 内側ブロックの貯水池側への外側ブロック２ｃｅの取付け。
両溝型鋼２ｃｅｂの間に、図２で示したスキンプレート２ｃｅｃを溶接する。なお、このスキンプレート２ｃｅｃの溶接に替えて、２つの等辺山形鋼２ｃｅｃａと金属板２ｃｅｃｂを個別に溶接しても良い。
【００２７】
(3) 上記(1)(2)の組立てを、分割した中央部ともう一方の脚部についても行い、１組のブロック２ｃａを完成させる。
【００２８】
(4) 上記(1)〜(3)の組立てを、全てのブロック２ｃａについて行い、全てのブロック２ｃａを組立てる。
【００２９】
(5) 上記組立てたブロック２ｃａを、ダム堰体１の堤頂に設置した重機によって積重ねて組立て、ケーソン２ｃを完成させる。その際、積重ねたブロック２ｃａの対向する等辺山形鋼２ｃａｂ間には水膨潤ゴムを介在させて、積重ねたブロック２ｃａ間の水密を図る。
【００３０】
上記構成の本発明の水中仮締切り設備２では、複数に分割した各ブロック２ｃａの接合を高力ボルト２ｃｄで行い、この接合部の貯水池側に外側ブロック２ｃｅを水密溶接することで、接合部からの漏水を防止しつつ、現地での組立作業、溶接作業が低減する。これに伴い、工場組立時の精度を現地で容易に再現できるため、現地組立時の精度が向上し、工事費用の低減及び工事期間の短縮が可能となる。
【００３１】
また、水中仮締切り設備２内の水を抜いた後に、接合部のメンテナンスを行うことが可能になる。従って、メンテナンス時に目視による点検が可能となって、目視により、高力ボルト２ｃｄの不良が発見できれば、高力ボルト２ｃｄを交換することができ、高い安全性を確保できる。
【００３２】
また、ブロック２ｃａの接合を高力ボルト２ｃｄで行うので、ブロック２ｃａの本体部分が溶接熱によって歪むことが避けられ、工場組立時の精度を現地で容易に再現できるため、現地組立時の精度が向上し、水中での止水作業が軽減され、工事期間の短縮が可能となる。
【００３３】
本発明は、上記で説明した例に限らず、各請求項に記載された技術的思想の範疇であれば、適宜実施の形態を変更しても良いことは言うまでもない。
【００３４】
例えば上記の例では、コンクリート面１ａに側部戸当り２ａを設置するものを示したが、側部戸当り２ａを設置せずに、ケーソン２ｃを直接コンクリート面１ａに固定しても良い。また、水平部１ｂに底部戸当り２ｂを設置するものを示したが、底部戸当り２ｂを設置せずに、ケーソン２ｃを直接水平部１ｂ（またはコンクリート面１ａに予め据え付けられた底蓋）の上に設置しても良い。
【００３５】
また、ケーソン２ｃは、図１（ａ）に示すような、平面から見た場合に、溝形鋼を横断面したような形状に限らず、図３（ａ）に示すような多角形を２等分したような形状や、図３（ｃ）に示すような半円弧型でもよい。
【００３６】
また、外側ブロック２ｃｅは、前記内側ブロックを貯水池側から覆って水密できれば、上記の構成に限らず、どのようなものでも良い。
【符号の説明】
【００３７】
１    ダム堰体
１ａ    コンクリート面
１ｂ    水平部
２    水中仮締切り設備
２ａ    側部戸当り
２ｂ    底部戸当り
２ｃ    ケーソン
２ｃａ    ブロック
２ｃｄ    高力ボルト
２ｃｅ    外側ブロック
【図１】
2012012820.tif 000003
【図２】
2012012820.tif 000004
【図３】
2012012820.tif 000005
【図４】
2012012820.tif 000006
【図５】
2012012820.tif 000007